(57)【要約】【課題】会場において人物確認を行うシステムにおいて、人物の事前登録に手間がかかるということ。【解決手段】本発明の情報処理装置は、チケット発券時に、当該チケットを発券した人物の画像を取得し、当該人物の画像に基づく認証情報と、発券したチケットの座席を特定する座席情報と、を関連付けて記憶する記憶処理手段と、発券したチケットの座席が設置された会場内を撮影した会場画像を取得し、当該会場画像に基づいて、当該会場画像内の人物の認証情報と当該人物が位置する座席の座席情報との組を抽出すると共に、当該組となる抽出した人物の認証情報と座席の座席情報とが関連付けて記憶されているか照合処理を行う照合手段と、を備える。【選択図】図７
2019144933.tif 000002
【特許請求の範囲】
【請求項１】
チケット発券時に、当該チケットを発券した人物の画像を取得し、当該人物の画像に基づく認証情報と、発券したチケットの座席を特定する座席情報と、を関連付けて記憶する記憶処理手段と、
発券したチケットの座席が設置された会場内を撮影した会場画像を取得し、当該会場画像に基づいて、当該会場画像内の人物の認証情報と当該人物が位置する座席の座席情報との組を抽出すると共に、当該組となる抽出した人物の認証情報と座席の座席情報とが関連付けて記憶されているか照合処理を行う照合手段と、
を備えた情報処理装置。
【請求項２】
請求項１に記載の情報処理装置であって、
前記記憶処理手段は、チケット発券場所におけるチケット発券時に、当該チケット発券場所に設置された撮影手段にて撮影された人物の画像を取得して、当該人物の画像に基づく認証情報と、発券したチケットの座席を特定する座席情報と、を関連付けて記憶する、
情報処理装置。
【請求項３】
請求項１又は２に記載の情報処理装置であって、
前記記憶処理手段は、ネットワークを介して接続された情報処理端末に対するチケット発券処理を行うと共に、当該チケット発券時に、前記情報処理端末にて撮影された人物の画像を取得して、当該人物の画像に基づく認証情報と、販売したチケットの座席を特定する座席情報と、を関連付けて記憶する、
情報処理装置。
【請求項４】
請求項１乃至３のいずれかに記載の情報処理装置であって、
前記記憶処理手段は、複数のチケットを発券した人物の画像を取得し、当該人物の画像に基づく前記認証情報と、発券した複数のチケットのそれぞれの座席を特定する各前記座席情報と、をそれぞれ関連付けて記憶する、
情報処理装置。
【請求項５】
請求項１乃至４のいずれかに記載の情報処理装置であって、
前記照合処理が失敗した場合に、前記会場画像に基づいて前記照合処理が失敗した座席に位置する人物の監視処理を行う監視手段を備えた、
情報処理装置。
【請求項６】
請求項５に記載の情報処理装置であって、
前記監視手段は、前記照合処理が失敗した人物の画像に基づく人物情報と、当該人物が位置する座席の座席情報と、を予め設定された通知先に通知する、
情報処理装置。
【請求項７】
請求項１乃至６のいずれかに記載の情報処理装置であって、
前記記憶処理手段は、チケットを発券した人物の決済情報の入力を受け付けて、当該人物の画像に基づく前記認証情報に前記決済情報を関連付けて記憶し、
前記会場画像に基づいて当該会場画像内から抽出した人物の認証情報が記憶されている場合に、当該認証情報に関連付けて記憶されている前記決済情報に基づいてチケットの決済処理を行う決済手段を備えた、
情報処理装置。
【請求項８】
撮影手段が装備されたチケット発券装置と、所定の会場内を撮影する会場撮影装置と、前記チケット発券装置及び前記会場撮影装置にネットワークを介して接続された情報処理装置と、を備え、
前記情報処理装置は、
前記チケット発券装置から、チケット発券時に前記撮影手段にて撮影された当該チケットを発券した人物の画像を取得し、当該人物の画像に基づく認証情報と、発券したチケットの座席を特定する座席情報と、を関連付けて記憶する記憶処理手段と、
前記会場撮影装置から、発券したチケットの座席が設置された会場内を撮影した会場画像を取得し、当該会場画像に基づいて、当該会場画像内の人物の認証情報と当該人物が位置する座席の座席情報との組を抽出すると共に、当該組となる抽出した人物の認証情報と座席の座席情報とが関連付けて記憶されているか照合処理を行う照合手段と、
を備えた、
情報処理システム。
【請求項９】
情報処理装置に、
チケット発券時に、当該チケットを発券した人物の画像を取得し、当該人物の画像に基づく認証情報と、発券したチケットの座席を特定する座席情報と、を関連付けて記憶する記憶処理手段と、
発券したチケットの座席が設置された会場内を撮影した会場画像を取得し、当該会場画像に基づいて、当該会場画像内の人物の認証情報と当該人物が位置する座席の座席情報との組を抽出すると共に、当該組となる抽出した人物の認証情報と座席の座席情報とが関連付けて記憶されているか照合処理を行う照合手段と、
を実現させるためのプログラム。
【請求項１０】
チケット発券時に、当該チケットを発券した人物の画像を取得し、当該人物の画像に基づく認証情報と、発券したチケットの座席を特定する座席情報と、を関連付けて記憶し、
発券したチケットの座席が設置された会場内を撮影した会場画像を取得し、
当該会場画像に基づいて、当該会場画像内の人物の認証情報と当該人物が位置する座席の座席情報との組を抽出すると共に、当該組となる抽出した人物の認証情報と座席の座席情報とが関連付けて記憶されているか照合処理を行う、
情報処理方法。
【発明の詳細な説明】
【技術分野】
【０００１】
本発明は、情報処理装置、情報処理システム、プログラム、情報処理方法に関する。
【背景技術】
【０００２】
映画館やコンサートなどの会場では、各出入り口において係員が観客のチケットのチェックを行っている。ところが、観客が多い場合には、入場時に行列になり混雑が起こるおそれがある。このため、観客の満足度向上を図るべくスムーズに入場できるよう、チェックする係員の人数を増やす必要がある。ところが、人員を増やす場合には、人件費が増加する、という問題が生じる。
【０００３】
一方で、近年、人物の顔認証技術の発達により、ゲートに設置したカメラで撮影した人物の顔画像から顔認証を行うウォークスルー顔認証システムが利用されている。このようなウォークスルー顔認証システムを、上述した映画館やコンサートなどの会場に入場する観客のチェックに用いることも可能である。
【０００４】
しかしながら、映画館やコンサートなどの会場は出入り口が複数あり、これら出入り口毎に顔認証システムを設置することは、費用面や設置スペースに問題が生じる場合がある。
【０００５】
このため、さらに映画館やコンサートなどの会場において観客をチェックする方法を検討すると、例えば、特許文献１に記載のような、座席に着席された人物を確認する方法を利用することも考えられる。
【先行技術文献】
【特許文献】
【０００６】
【特許文献１】特開２００８−２５０８３０号公報
【発明の概要】
【発明が解決しようとする課題】
【０００７】
しかしながら、特許文献１に記載の方法は、試験会場などにおける出席者の出欠を確認することを目的としており、上述した映画館やコンサートなどの会場における人物の確認には適していない。つまり、映画館やコンサートなどでは、チケットの購入時に座席が決定されるが、試験では申し込みの後日に座席が指定されることがあり、事前に座席と顔画像とを関連付けて登録することが困難となる。そして、特許文献１では、単に、顔画像と座席の位置情報とを対応させて予め登録する、ことしか記載されておらず、その具体的な登録方法は不明であり、例えば、人手で登録されることが予想される。このため、特許文献１の技術では、会場で人物確認を行うシステムにおいて、人物の事前登録に手間がかかる、という問題が生じる。
【０００８】
以上より、本発明の目的は、上述した課題である、会場で人物確認を行うシステムにおいて、人物の事前登録に手間がかかる、という問題を解決することができる情報処理システムを提供することにある。
【課題を解決するための手段】
【０００９】
本発明の一形態である情報処理装置は、
チケット発券時に、当該チケットを発券した人物の画像を取得し、当該人物の画像に基づく認証情報と、発券したチケットの座席を特定する座席情報と、を関連付けて記憶する記憶処理手段と、
発券したチケットの座席が設置された会場内を撮影した会場画像を取得し、当該会場画像に基づいて、当該会場画像内の人物の認証情報と当該人物が位置する座席の座席情報との組を抽出すると共に、当該組となる抽出した人物の認証情報と座席の座席情報とが関連付けて記憶されているか照合処理を行う照合手段と、
を備えている。
【００１０】
また、本発明の一形態である情報処理システムは、
撮影手段が装備されたチケット発券装置と、所定の会場内を撮影する会場撮影装置と、前記チケット発券装置及び前記会場撮影装置にネットワークを介して接続された情報処理装置と、を備え、
前記情報処理装置は、
前記チケット発券装置から、チケット発券時に前記撮影手段にて撮影された当該チケットを発券した人物の画像を取得し、当該人物の画像に基づく認証情報と、発券したチケットの座席を特定する座席情報と、を関連付けて記憶する記憶処理手段と、
前記会場撮影装置から、発券したチケットの座席が設置された会場内を撮影した会場画像を取得し、当該会場画像に基づいて、当該会場画像内の人物の認証情報と当該人物が位置する座席の座席情報との組を抽出すると共に、当該組となる抽出した人物の認証情報と座席の座席情報とが関連付けて記憶されているか照合処理を行う照合手段と、
を備えている。
【００１１】
また、本発明の一形態であるプログラムは、
情報処理装置に、
チケット発券時に、当該チケットを発券した人物の画像を取得し、当該人物の画像に基づく認証情報と、発券したチケットの座席を特定する座席情報と、を関連付けて記憶する記憶処理手段と、
発券したチケットの座席が設置された会場内を撮影した会場画像を取得し、当該会場画像に基づいて、当該会場画像内の人物の認証情報と当該人物が位置する座席の座席情報との組を抽出すると共に、当該組となる抽出した人物の認証情報と座席の座席情報とが関連付けて記憶されているか照合処理を行う照合手段と、
を実現させる。
【００１２】
また、本発明の一形態である情報処理方法は、
チケット発券時に、当該チケットを発券した人物の画像を取得し、当該人物の画像に基づく認証情報と、発券したチケットの座席を特定する座席情報と、を関連付けて記憶し、
発券したチケットの座席が設置された会場内を撮影した会場画像を取得し、
当該会場画像に基づいて、当該会場画像内の人物の認証情報と当該人物が位置する座席の座席情報との組を抽出すると共に、当該組となる抽出した人物の認証情報と座席の座席情報とが関連付けて記憶されているか照合処理を行う。
【発明の効果】
【００１３】
本発明は、以上のように構成されることにより、会場で人物確認を行うシステムにおいて、人物の事前登録の手間を削減することができる。
【図面の簡単な説明】
【００１４】
【図１】本発明の実施形態１における情報処理システムの構成の概略を示す図である。
【図２】図１に開示した情報処理システムの構成を示すブロック図である。
【図３】図１に開示した情報処理システムの動作を示すフローチャートである。
【図４】図１に開示した情報処理システムの動作を示すフローチャートである。
【図５】本発明の実施形態２における情報処理システムの構成の概略を示す図である。
【図６】図５に開示した情報処理システムの構成を示すブロック図である。
【図７】本発明の実施形態３における情報処理システムの構成を示すブロック図である。
【発明を実施するための形態】
【００１５】
＜実施形態１＞
本発明の第１の実施形態を、図１乃至図４を参照して説明する。図１は、情報処理システムの全体構成を示す概略図であり、図２は、情報処理システムの構成を示すブロック図である。図３乃至図４は、情報処理システムの処理動作を説明するための図である。
【００１６】
［構成］
本発明における情報処理システムは、映画館やコンサートなどの会場４において、観客となるユーザの確認を行うためのシステムである。そして、情報処理システムは、図１に示すように、チケットボックス１内に設置された発券機１０と、ユーザ宅３内に設置されたユーザ端末３０と、データサーバ２０と、会場内カメラ４０と、認証装置５０と、警備装置６０と、を備え、これらがネットワークを介して接続されている。以下、各構成について詳述する。
【００１７】
チケットボックス１は、会場４近くに設置されたチケット売り場であったり、街中やコンビニなどに設置されたチケット売り場であったりしてもよい。チケットボックス１は、チケットの発券処理を行う情報処理装置にて構成された発券機１０を備えている。
【００１８】
上記発券機１０（チケット発券装置）は、チケットの発券を希望する人物であるユーザＵａが操作する入力装置や、チケットの内容を表示する表示装置、紙媒体であるチケットを出力する出力装置などを備え、ユーザＵａの操作に応じてチケットの発券処理を行う。なお、発券機１０は、必ずしも紙媒体のチケットを発券する必要はなく、発券したチケットの内容が記憶された情報を表示したりユーザＵａの情報処理端末に送信したりするなど、他の処理によるチケット発券処理を行ってもよい。
【００１９】
また、発券機１０は、カメラ１１（撮影手段）を備えており、チケットの発券処理を行うユーザＵａの顔画像を撮影する。加えて、発券機１０は、図２に示すように、装備された演算装置でプログラムが実行されることで構築されたチケットデータ送信部１２を備えている。チケットデータ送信部１２は、上述したようにチケットの発券時に、チケットボックス１内でチケットを発券したユーザＵａの顔画像を撮影し、かかる顔画像と、ユーザＵａが発券したチケットの座席を特定する座席情報と、を関連付けて、データサーバ２０に送信する。このとき、座席情報には、例えば、発券したチケットにて入場することができる対象となる映画やコンサートなどのイベント名や、対象となる会場の講演時間などと共に、その会場における座席の位置を特定する座席番号が含まれる。但し、座席を特定する座席情報としては、座席番号が含まれることに限らず、会場内における座席の位置を表す情報が含まれていてもよい。
【００２０】
上記ユーザ端末３０は、チケットの発券を希望する人物であるユーザＵｂのユーザ宅３内に設置された情報処理端末である。但し、ユーザ端末３０は、携帯型の情報処理端末であってもよく、ユーザＵｂが操作できる端末であればいかなる情報処理端末であってもよい。
【００２１】
ユーザ端末３０は、データサーバ２０に接続し、当該データサーバ２０による発券処理を受ける。そして、ユーザ端末３０は、チケット発券時におけるデータサーバ２０の指示に従って、装備しているカメラ（図示せず）にてユーザＵｂの顔画像を撮影する。そして、ユーザ端末３０は、チケットを発券したユーザＵｂの顔画像と、当該チケットの座席を特定する座席情報と、を関連付けて、データサーバ２０に送信する。このとき、ユーザ端末３０は、チケット発券時にユーザＵｂの顔画像を撮影せずに、チケット発券時に予め記憶しているユーザＵｂの顔画像を読み出して、チケットの座席情報と共にデータサーバ２０に送信してもよい。このように、ユーザ端末３０は、ユーザＵｂの顔画像をチケットの座席情報と関連付けて、データサーバ２０にアップロードする。なお、ユーザ端末３０は、チケット発券と同時ではなく、後日に顔画像をアップロードしてもよい。また、ユーザ端末３０は、図示しないインターネット上の発券処理サーバに接続して発券処理を受けてもよく、その場合にも、発券したチケットの座席情報と共に、ユーザＵｂの顔画像をデータサーバ２０に送信する。
【００２２】
上記データサーバ２０（情報処理装置）は、演算装置及び記憶装置を有する情報処理装置である。そして、データサーバ２０は、図２に示すように、演算装置がプログラムを実行することで構築された、データ受信部２１と、データ関連付け部２２と、を備えている。また、データサーバ２０は、記憶装置に構築された、ユーザデータ記憶部２３を備えている。
【００２３】
上記データ受信部２１は、上述したように発券機１０やユーザ端末３０から送信された、ユーザの顔画像と、チケットの座席情報と、の組からなる情報を受信する。そして、上記データ関連付け部２２（記憶処理手段）は、受信したユーザの顔画像を取得し、かかる顔画像からユーザを識別する顔特徴量（認証情報）を抽出し、共に受信した座席情報と関連付けて、ユーザデータ記憶部２３に記憶する。これにより、ユーザデータ記憶部２３には、チケットボックス１やネットワークを介して接続されたユーザ端末３０による発券時に、チケットを発券したユーザＵａ，Ｕｂの認証情報としての顔特徴量と、発券したチケットの座席情報と、の組が記憶されることとなる。
【００２４】
ここで、上述した発券機１０やユーザ端末３０で、１人のユーザＵａ，Ｕｂが複数枚のチケットを購入する場合がある。この場合、発券機１０やユーザ端末３０からは、購入した１人のユーザＵａ，Ｕｂの顔画像に、複数のチケットのそれぞれの座席情報が関連付けられてデータサーバ２０に送信される。すると、上記データ関連付け部２２は、１人のユーザＵａ，Ｕｂの顔画像から抽出した顔特徴量に、各座席情報をそれぞれ関連付けて記憶する。つまり、１人のユーザの顔画像と１つの座席情報との組が、購入されたチケットの枚数分だけ記憶されることとなる。
【００２５】
なお、データサーバ２０は、上述したようにネットワークを介してユーザ端末３０に対して発券処理を行う機能を有しているが、かかる発券処理機能は他の情報処理装置にて実現されていてもよい。また、データサーバ２０と後述する認証装置５０とは、一つの情報処理装置で構成されていてもよい。
【００２６】
上記会場内カメラ４０（会場撮影装置）は、映画やコンサートなどのイベントが行われる、発券したチケットの座席が設置された会場４内を撮影する撮影装置である。会場内カメラ４０は、例えば、一定の時間間隔で会場４内を撮影し、撮影された会場画像を認証装置５０に送信する。
【００２７】
このとき、会場内カメラ４０が設置される会場４内においては、座席位置が固定である。このため、会場内カメラ４０にて会場４内を撮影することで、会場画像上の座標から、予め設定された座席位置を特定し、かかる座席位置から座席番号などの座席情報を特定することができる。なお、会場内カメラ４０は、撮影方向を変えながら順番に客席を撮影していくパン方式のカメラであってもよく、一度に全客席を撮影可能な高解像度カメラであってもよい。例えば、パン式のカメラである場合には、会場画像を撮影したときのカメラの向きと当該会場画像上の座標とに基づいて、座席位置を特定することができる。また、会場内カメラ４０は、赤外線対応など、暗所でも輪郭などの顔の特徴をはっきりとらえることができるものであることが望ましい。
【００２８】
上記認証装置５０（情報処理装置）は、演算装置及び記憶装置を有する情報処理装置であり、上述したデータサーバ２０や会場内カメラ４０にネットワークを介して接続される。なお、認証装置５０は、上記データサーバ２０と一つの情報処理装置で構築されていてもよい。そして、認証装置５０は、図２に示すように、演算装置がプログラムを実行することで構築された、画像処理部５１と、照合部５２と、監視部５３と、を備えている。
【００２９】
上記画像処理部５１（照合手段）は、会場内カメラ４０にて撮影した会場画像を取得し、当該会場画像から会場内の人物Ｕｃであるユーザの顔画像を抽出する。そして、画像処理部５１は、各ユーザの顔画像から、認証情報としての顔特徴量を抽出する。さらに、画像処理部５１は、抽出した顔画像が位置する会場画像上の座標から、会場４内における座席情報としての座席位置を特定し、かかる座席位置に基づく座席情報を特定する。そして、画像処理部５１は、抽出した顔特徴量と座席情報との組を照合部５２に渡す。なお、画像処理部５１による座席位置の特定は、例えば、予め会場画像内における座標と座席位置との対応情報が認証装置５０やデータサーバ２０に記憶されており、かかる情報を利用して行ってもよいが、会場画像内から座席に付された座席番号を読み取るなど、いかなる方法で特定してもよい。
【００３０】
上記照合部５２（照合手段）は、データサーバ２０のユーザデータ記憶部２３から、チケット発券時に登録された、チケット購入ユーザＵａ，Ｕｂの顔特徴量と座席情報とが関連付けられた情報を取得する。そして、照合部５２は、画像処理部５１にて抽出した顔特徴量と座席情報との組が、データサーバ２０から取得した情報と一致するか否かを調べる。つまり、所定の座席にいる人物の顔特徴量が、その座席のチケットの購入者として、その座席の座席情報に関連付けられて登録されているか、といった照合を行う。そして、照合部５２は、上述した照合処理が失敗した場合には、座席情報と共に失敗した旨を監視部５３に通知する。
【００３１】
上記監視部５３（監視手段）は、照合処理が失敗した旨と座席情報との通知を受けた場合には、かかる座席情報に位置する人物が会場４内への不正入場であると判断して、当該座席位置に位置する人物の監視処理を行う。監視処理としては、例えば、会場内カメラ４０から定期的に送信される会場画像から、照合処理が必敗した座席位置に位置する人物が、かかる位置から離れるといった離席状態を監視する。そして、監視部５３は、離席状態を検出すると、会場画像から監視している座席位置に位置する人物の顔画像を抽出し、かかる顔画像と座席位置とを警備装置６０に通知する。なお、監視部５３は、照合処理が失敗した旨を受信するとすぐに、人物の顔画像を警備装置６０に通知してもよい。
【００３２】
上記警備装置６０は、会場４の係員や警備員が所持するスマートフォンなどの情報処理端末である。警備装置６０は、装備された演算装置でプログラムを実行することで構築された通知受信部６１を備えている。通知受信部６１は、上述したように認証装置５０の監視部５３から、照合処理に失敗したために監視している人物の顔画像と座席位置との通知を受けると、かかる情報を表示部に表示して係員や警備員に通知する。
【００３３】
［動作］
次に、上述した情報処理システムの動作を、主に図３乃至図４のフローチャートを参照して説明する。
【００３４】
まず、ユーザＵａは、会場４で行われるイベントの当日にチケットを購入する場合には、チケットボックス１内の発券機１０にてチケットを購入する。すると、発券機１０は、チケットを発券し（ステップＳ１）、購入者であるユーザＵａの顔画像を撮影する（ステップＳ２）。そして、発券機１０は、撮影したユーザＵａの顔画像と、ユーザＵａが発券したチケットの座席情報と、を関連付けて、データサーバ２０に送信する。
【００３５】
データサーバ２０は、発券機１０から送信されたユーザの顔画像と、チケットの座席情報と、の組を受信する。そして、データサーバ２０は、ユーザの顔画像から顔特徴量を抽出し（ステップＳ３）、当該顔特徴量に、共に受信した座席情報を関連付けて記憶する（ステップＳ４）。
【００３６】
なお、イベントの当日ではなく、ユーザＵｂがインターネット上でチケットを事前購入する場合には、ユーザ端末３０からチケット発券処理を行うと共に、ユーザＵｂの顔画像をデータサーバ２０にアップロードする。これにより、データサーバ２０は、発券したチケットの座席情報と共に、ユーザＵｂの顔画像を受け取り、ユーザの顔特徴量と座席情報とを関連付けて記憶する。
【００３７】
チケットを購入したユーザは、イベントの当日、イベントが開催される会場４に入場し、購入したチケットの座席に着席する。そして、イベント開始前あるいはイベント中に、会場４内に設置された会場内カメラ４０が、会場４内の画像を撮影して、撮影した会場画像を認証装置５０に送信する（ステップＳ１１）。
【００３８】
認証装置５０は、会場画像に映る全ての人物の顔画像を抽出する（ステップＳ１２）。そして、認証装置５０は、顔画像から顔特徴量を抽出し、さらに、抽出した顔画像の位置から座席位置といった座席情報を特定する（ステップＳ１３）。そして、認証装置５０は、会場画像から抽出した顔特徴量と、特定した座席情報との組が、データサーバ２０に記憶されているか否かの照合を行う（ステップＳ１４）。
【００３９】
認証装置５０は、会場画像から抽出した顔特徴量と座席情報との組が、データサーバ２０に記憶されている情報と一致すると、照合成功と判断する（ステップＳ１５：Ｙｅｓ）。つまり、チケットを購入したユーザが、正しい座席に着座していると判断する。
【００４０】
一方で、会場画像から抽出した顔特徴量と座席情報との組が、データサーバ２０に記憶されている情報と一致しない場合には、照合失敗と判断する（ステップＳ１５：Ｎｏ）。この場合、認証装置５０は、かかるユーザが不正入場者である可能性があるため、その座席位置のユーザを監視する。例えば、認証装置５０は、会場内カメラ４０から定期的に送信される会場画像から、その座席に位置するユーザが離席するか否かを監視する（ステップＳ１６）。そして、認証装置５０は、その座席のユーザが一定時間離席すると、会場画像からかかるユーザの顔画像を抽出し、かかる顔画像と座席位置とを警備装置６０に通知する（ステップＳ１７）。なお、認証装置５０は、照合処理が失敗するとすぐに、かかるユーザの顔画像を警備装置６０に通知してもよい。警備装置６０は、受信した顔画像を保存しておくこともでき、不正入場の履歴として蓄積することもできる。
【００４１】
このようにすることで、警備員は、スマートフォンなどの警備装置６０で上述した不正入場の可能性のあるユーザの顔画像と座席位置を知ることができるため、かかるユーザに迅速かつ適切に対応することができる。なお、警備員は、即座に不正入場のユーザを取り押さえに行くことも可能であるが、座席の間違えや、イベント中の混乱を回避するために、ユーザが離席したタイミングが通知されることで、離席に併せて通路などの離れた場所で取り押さえることも可能である。例えば、警備員は、不正入場の可能性があるユーザが逃亡する前にその会場の出入り口につながる通路へ駆けつけることが可能である。そして、出入り口から出てきたユーザの顔を、スマートフォンである警備装置６０に送られてきた顔と比較し、対象の不正入場者であると判断できれば警告し、場合によっては拘束する。
【００４２】
なお、１人のユーザが複数のチケットを購入している場合には、上述したように、１人のユーザの顔特徴量に複数の座席情報が関連付けられていることとなる。このような場合に、認証装置５０は、照合処理に成功した１人のユーザの顔特徴量が複数の座席情報と関連付けられていることがわかるため、これら座席情報の座席位置に位置する人物については、照合が成功したこととし、上述したように監視や警備装置６０への通知は行わない。
【００４３】
以上のように、本発明によると、まず、イベント会場における入場者であるユーザの確認を、会場の出入り口ではなく、会場内のカメラで撮影して行うため、出入り口における混雑を回避することができる。また、出入り口に常に係員を待機させる必要がないため、係員などの人員コストの低減を図ることができる。さらには、ユーザの確認を行うための照合データとなる人物の顔特徴量と座席情報との登録をデータサーバ２０にて自動的に行っているため、人物の事前登録の手間も低減でき、事前登録に関するコスト等も削減することができる。
【００４４】
＜実施形態２＞
次に、本発明の第２の実施形態を、図５乃至図６を参照して説明する。図５は、情報処理システムの全体構成を示す概略図であり、図６は、情報処理システムの構成を示すブロック図である。
【００４５】
本実施形態における情報処理システムは、図５及び図６に示すように、上述した実施形態１におけるものと同様の構成であるが、会場４に入場しているユーザＵｃに対する決済処理を行う点で異なる。以下、主に実施形態１とは異なる構成について詳述する。
【００４６】
まず、本実施形態では、図５に示すように、イベントを行う会場４が複数設定されており、各会場４にそれぞれ会場内カメラ４０が設置されている。そして、各会場内カメラ４０は、認証装置５０とネットワークを介して接続されており、各会場４で撮影した会場画像を一定の時間間隔で認証装置５０に送信する。
【００４７】
そして、本実施形態におけるデータサーバ２０のデータ関連付け部２２は、ユーザの顔特徴量及び座席情報に、当該ユーザにて入力されたクレジットカード番号などの決済情報を関連付けて記憶している。なお、ユーザの決済情報は、ユーザＵａが発券機１０でチケットを購入する際に入力されたり、ユーザＵｂがインターネットを介してユーザ端末３０でチケットを購入する際に入力されたりして、データサーバ２０にて受け付けられて記憶される。
【００４８】
そして、本実施形態における認証装置５０は、図６に示すように、実施形態１の構成に加え、演算装置がプログラムを実行することで構築された決済部５５を備えている。決済部５５（決済手段）は、上述した照合部５２により、会場画像内から抽出したユーザＵｃの顔特徴量と座席情報との組がデータサーバ２０に記憶されていると判断して照合処理が成功すると、データサーバ２０に記憶されている決済情報に基づいてチケットの決済処理を行う。つまり、会場画像内から抽出したユーザＵｃの顔特徴量と関連付けて記憶されているデータサーバ２０内の決済情報を読み出して、かかる決済情報を用いて決済処理を行う。このとき、決済部５５は、データサーバ２０に登録されているユーザのメールアドレスや課金用アプリなどのアドレス情報へ決済の旨を通知する。なお、決済部５５は、上記照合処理に失敗した場合には、その座席に関連付けて登録されているユーザに通知し、請求拒絶を可能とし、一定期間請求拒絶の連絡がなければ、そのまま請求・課金してもよい。
【００４９】
このようにすることで、本発明では、実際にイベント会場に入場したユーザに対してのみチケット料金の徴収を行うことができる。その結果、各会場の出入り口で係員等によるチケットのチェックや料金徴収などを行うことを省略することができる。
【００５０】
＜実施形態３＞
次に、本発明の第３の実施形態を、図７を参照して説明する。図７は、実施形態３における情報処理システムの構成を示すブロック図である。なお、本実施形態では、実施形態１及び実施形態２で説明した情報処理システムの構成の概略を示している。
【００５１】
図７に示すように、本実施形態おける情報処理システムは、
撮影手段が装備されたチケット発券装置２００と、所定の会場内を撮影する会場撮影装置３００と、チケット発券装置及び会場撮影装置にネットワークを介して接続された情報処理装置１００と、を備える。
そして、情報処理装置１００は、
チケット発券装置２００から、チケット発券時に撮影手段にて撮影された当該チケットを発券した人物の画像を取得し、当該人物の画像に基づく認証情報と、発券したチケットの座席を特定する座席情報と、を関連付けて記憶する記憶処理手段１１０と、
会場撮影装置３００から、発券したチケットの座席が設置された会場内を撮影した会場画像を取得し、当該会場画像に基づいて、当該会場画像内の人物の認証情報と当該人物が位置する座席の座席情報との組を抽出すると共に、当該組となる抽出した人物の認証情報と座席の座席情報とが関連付けて記憶されているか照合処理を行う照合手段１２０と、
を備える。
【００５２】
また、本実施形態では、図７に示す情報処理システムからチケット発券装置２００と会場撮影装置３００を取り除いてもよい。
【００５３】
なお、上述した情報処理装置１００が備える記憶処理手段１１０と照合手段１２０とは、演算装置がプログラムを実行することで構築されるものであってもよく、電子回路で構築されるものであってもよい。
【００５４】
そして、上記構成の情報処理装置１００は、
チケット発券時に、当該チケットを発券した人物の画像を取得し、当該人物の画像に基づく認証情報と、発券したチケットの座席を特定する座席情報と、を関連付けて記憶し、
発券したチケットの座席が設置された会場内を撮影した会場画像を取得し、
当該会場画像に基づいて、当該会場画像内の人物の認証情報と当該人物が位置する座席の座席情報との組を抽出すると共に、当該組となる抽出した人物の認証情報と座席の座席情報とが関連付けて記憶されているか照合処理を行う、
という処理を行うよう作動する。
【００５５】
上述した情報処理システムあるいは情報処理装置１００によると、まず、イベント会場における入場者であるユーザの確認を、会場の出入り口ではなく、会場内のカメラで撮影して行うため、出入り口における混雑を回避することができる。また、出入り口に常に係員を待機させる必要がないため、係員などの人員コストの低減を図ることができる。さらには、ユーザの確認を行うための照合データとなる人物の顔特徴量と座席情報との登録を自動で行っているため、人物の事前登録の手間も低減でき、事前登録に関するコスト等も削減することができる。
【００５６】
＜付記＞
上記実施形態の一部又は全部は、以下の付記のようにも記載されうる。以下、本発明における情報処理装置、情報処理システム、プログラム、情報処理方法の構成の概略を説明する。但し、本発明は、以下の構成に限定されない。
【００５７】
（付記１）
チケット発券時に、当該チケットを発券した人物の画像を取得し、当該人物の画像に基づく認証情報と、発券したチケットの座席を特定する座席情報と、を関連付けて記憶する記憶処理手段と、
発券したチケットの座席が設置された会場内を撮影した会場画像を取得し、当該会場画像に基づいて、当該会場画像内の人物の認証情報と当該人物が位置する座席の座席情報との組を抽出すると共に、当該組となる抽出した人物の認証情報と座席の座席情報とが関連付けて記憶されているか照合処理を行う照合手段と、
を備えた情報処理装置。
【００５８】
（付記２）
付記１に記載の情報処理装置であって、
前記記憶処理手段は、チケット発券場所におけるチケット発券時に、当該チケット発券場所に設置された撮影手段にて撮影された人物の画像を取得して、当該人物の画像に基づく認証情報と、発券したチケットの座席を特定する座席情報と、を関連付けて記憶する、
情報処理装置。
【００５９】
（付記３）
付記１又は２に記載の情報処理装置であって、
前記記憶処理手段は、ネットワークを介して接続された情報処理端末に対するチケット発券処理を行うと共に、当該チケット発券時に、前記情報処理端末にて撮影された人物の画像を取得して、当該人物の画像に基づく認証情報と、販売したチケットの座席を特定する座席情報と、を関連付けて記憶する、
情報処理装置。
【００６０】
（付記４）
付記１乃至３のいずれかに記載の情報処理装置であって、
前記記憶処理手段は、複数のチケットを発券した人物の画像を取得し、当該人物の画像に基づく前記認証情報と、発券した複数のチケットのそれぞれの座席を特定する各前記座席情報と、をそれぞれ関連付けて記憶する、
情報処理装置。
【００６１】
（付記５）
付記１乃至４のいずれかに記載の情報処理装置であって、
前記照合処理が失敗した場合に、前記会場画像に基づいて前記照合処理が失敗した座席に位置する人物の監視処理を行う監視手段を備えた、
情報処理装置。
【００６２】
（付記６）
付記５に記載の情報処理装置であって、
前記監視手段は、前記照合処理が失敗した人物の画像に基づく人物情報と、当該人物が位置する座席の座席情報と、を予め設定された通知先に通知する、
情報処理装置。
【００６３】
（付記７）
付記１乃至６のいずれかに記載の情報処理装置であって、
前記記憶処理手段は、チケットを発券した人物の決済情報の入力を受け付けて、当該人物の画像に基づく前記認証情報に前記決済情報を関連付けて記憶し、
前記会場画像に基づいて当該会場画像内から抽出した人物の認証情報が記憶されている場合に、当該認証情報に関連付けて記憶されている前記決済情報に基づいてチケットの決済処理を行う決済手段を備えた、
情報処理装置。
【００６４】
（付記８）
撮影手段が装備されたチケット発券装置と、所定の会場内を撮影する会場撮影装置と、前記チケット発券装置及び前記会場撮影装置にネットワークを介して接続された情報処理装置と、を備え、
前記情報処理装置は、
前記チケット発券装置から、チケット発券時に前記撮影手段にて撮影された当該チケットを発券した人物の画像を取得し、当該人物の画像に基づく認証情報と、発券したチケットの座席を特定する座席情報と、を関連付けて記憶する記憶処理手段と、
前記会場撮影装置から、発券したチケットの座席が設置された会場内を撮影した会場画像を取得し、当該会場画像に基づいて、当該会場画像内の人物の認証情報と当該人物が位置する座席の座席情報との組を抽出すると共に、当該組となる抽出した人物の認証情報と座席の座席情報とが関連付けて記憶されているか照合処理を行う照合手段と、
を備えた、
情報処理システム。
【００６５】
（付記９）
情報処理装置に、
チケット発券時に、当該チケットを発券した人物の画像を取得し、当該人物の画像に基づく認証情報と、発券したチケットの座席を特定する座席情報と、を関連付けて記憶する記憶処理手段と、
発券したチケットの座席が設置された会場内を撮影した会場画像を取得し、当該会場画像に基づいて、当該会場画像内の人物の認証情報と当該人物が位置する座席の座席情報との組を抽出すると共に、当該組となる抽出した人物の認証情報と座席の座席情報とが関連付けて記憶されているか照合処理を行う照合手段と、
を実現させるためのプログラム。
【００６６】
（付記１０）
チケット発券時に、当該チケットを発券した人物の画像を取得し、当該人物の画像に基づく認証情報と、発券したチケットの座席を特定する座席情報と、を関連付けて記憶し、
発券したチケットの座席が設置された会場内を撮影した会場画像を取得し、
当該会場画像に基づいて、当該会場画像内の人物の認証情報と当該人物が位置する座席の座席情報との組を抽出すると共に、当該組となる抽出した人物の認証情報と座席の座席情報とが関連付けて記憶されているか照合処理を行う、
情報処理方法。
【００６７】
（付記１１）
付記１０に記載の情報処理方法であって、
チケット発券場所におけるチケット発券時に、当該チケット発券場所に設置された撮影手段にて撮影された人物の画像を取得して、当該人物の画像に基づく認証情報と、発券したチケットの座席を特定する座席情報と、を関連付けて記憶する、
情報処理方法。
【００６８】
（付記１２）
付記１０又は１１に記載の情報処理方法であって、
ネットワークを介して接続された情報処理端末に対するチケット発券処理を行うと共に、当該チケット発券時に、前記情報処理端末にて撮影された人物の画像を取得して、当該人物の画像に基づく認証情報と、販売したチケットの座席を特定する座席情報と、を関連付けて記憶する、
情報処理方法。
【００６９】
（付記１３）
付記１０乃至１２のいずれかに記載の情報処理方法であって、
前記照合処理が失敗した場合に、前記会場画像に基づいて前記照合処理が失敗した座席に位置する人物の監視処理を行う、
情報処理方法。
【００７０】
（付記１４）
付記１３に記載の情報処理方法であって、
前記監視処理は、前記照合処理が失敗した人物の画像に基づく人物情報と、当該人物が位置する座席の座席情報と、を予め設定された通知先に通知する、
情報処理装置。
【００７１】
（付記１５）
付記１０乃至１４のいずれかに記載の情報処理方法であって、
チケットを発券した人物の決済情報の入力を受け付けて、当該人物の画像に基づく前記認証情報に前記決済情報を関連付けて記憶し、
前記会場画像に基づいて当該会場画像内から抽出した人物の認証情報が記憶されている場合に、当該認証情報に関連付けて記憶されている前記決済情報に基づいてチケットの決済処理を行う、
情報処理方法。
【００７２】
なお、上述したプログラムは、記憶装置に記憶されていたり、コンピュータが読み取り可能な記録媒体に記録されたりしている。例えば、記録媒体は、フレキシブルディスク、光ディスク、光磁気ディスク、及び、半導体メモリ等の可搬性を有する媒体である。
【００７３】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００７４】
１  チケットボックス
１０  発券機
１１  カメラ
１２  チケットデータ送信部
２０  データサーバ
２１  データ受信部
２２  データ関連付け部
２３  ユーザデータ記憶部
３  ユーザ宅
３０  ユーザ端末
４  会場
４０  会場内カメラ
５０  認証装置
５１  画像処理部
５２  照合部
５３  監視部
５５  決済部
６０  警備装置
６１  通知受信部
１００  情報処理装置
１１０  記憶処理手段
１２０  照合手段
２００  チケット発券装置
３００  会場撮影装置
【図１】
2019144933.tif 000003
【図２】
2019144933.tif 000004
【図３】
2019144933.tif 000005
【図４】
2019144933.tif 000006
【図５】
2019144933.tif 000007
【図６】
2019144933.tif 000008
【図７】
2019144933.tif 000009